(57)【要約】【課題】能率よく組み付けが行える光学アダプタを提供する。【解決手段】光学アダプタ１０は、レンズ付きフイルムユニット１の前面に取り付けられる固定枠１１と、シリンドリカルレンズ１３が取り付けられ、固定枠１１に対して回動自在な可動枠１２とから構成されている。固定枠１１は、レンズ付きフイルムユニット１の前面に押し込まれることで装着され、可動枠１２が閉じられると覆い隠される。可動枠２６の内面には押圧リブ２６が設けられ、可動枠２６を閉じたまま固定枠１１をレンズ付きフイルムユニット１に押し付けて、光学アダプタ１０を組み付けることができる。【選択図】　　　　図１
2004093882.tif 000002
【特許請求の範囲】
【請求項１】
撮影レンズが露呈されたレンズ付きフイルムユニット前面のアダプタ取付け位置に押し込まれる係合部が設けられた固定枠と、
アダプタ用光学部品を保持して前記固定枠に軸着されるとともに、前記撮影レンズと光学部品とが対面する位置で前記固定枠に係止され、前記固定枠に係止された状態で前記固定枠を覆い隠す形状を有する可動枠とから構成され、
前記固定枠の前面又は可動枠の内面に設けた突出部により、係止された状態の可動枠が固定枠に向かって押圧されたときに、この押圧力で固定枠背面をレンズ付きフイルムユニット前面に押し付け、前記係合部がアダプタ取付け位置に押し込まれるとともに、前記固定枠がレンズ付きフイルムユニット前面に取付けられることを特徴とするレンズ付きフイルムユニット用光学アダプタ。
【発明の詳細な説明】
【０００１】
【発明の属する技術分野】
本発明は、標準撮影と特殊効果撮影との切り替えが簡単に行えるレンズ付きフイルムユニット用光学アダプタに関するものである。
【０００２】
【従来の技術】
未露光の写真フイルムが予め装填され、購入したその場で写真撮影が可能なレンズ付きフイルムユニットが知られている。レンズ付きフイルムユニットは、低価格でコンパクトという手軽さを有し、簡単な操作で写真撮影を楽しむことができる。また、このレンズ付きフイルムユニットを用いて様々な目的に応じた撮影ができるように、専用の光学アダプタが別途販売されている。この光学アダプタには、スポーツ観戦時の撮影に好適な望遠アダプタや、被写体を近距離で大きく撮影するための接写アダプタなどがある。
【０００３】
特開平８−１５７６３号公報に記載されているように、従来の光学アダプタは、補助レンズが取り付けられたアダプタ本体と、アダプタ本体をレンズ付きフイルムユニットに固定させるゴム紐とから構成されている。この光学アダプタは、レンズ付きフイルムユニットの周囲に架け渡されたゴム紐をアダプタ本体の上下にそれぞれ係止させるものであるため、レンズ付きフイルムユニットに特別な取付け部を設けることなく装着できる利点がある。
【０００４】
上記公報記載の光学アダプタは、外観デザインの異なるレンズ付きフイルムユニットにも汎用できる一方で、アダプタの付け外しが面倒であることや不使用時に光学アダプタを別々に持ち歩く必要があるなど、ユーザーにとっては取扱い上の不便さがある。そこで、補助レンズを使用した特殊撮影と、撮影レンズのみによる標準撮影とが簡単に切り替えられ、レンズ付きフイルムユニット製造時に予め組み付けるようにした光学アダプタが提案されている。この光学アダプタは、レンズ付きフイルムユニット前面に取り付けられる固定枠と、補助レンズが保持されて固定枠に対して回動自在とされた可動枠とからなり、可動枠の開閉だけで特殊撮影と標準撮影とを切り替えることができる。
【０００５】
【発明が解決しようとする課題】
上述の開閉式光学アダプタでは、可動枠が閉じられた状態で店頭に陳列されることが想定され、可動枠が閉じられた状態の見栄えが重要になる。このため、可動枠で固定枠を覆い隠し、外観の煩雑化を避けることが検討されている。したがって、可動枠は固定枠の周りを取り囲む大きさに形成される必要がある。
【０００６】
このような構成の光学アダプタは、組み立ての済んだ光学アダプタをレンズ付きフイルムユニットに押し込むだけで組み付けられるようにすることが最も簡単で、また、組み立て済みの光学アダプタは可動枠を閉じた状態で取り扱う方が都合がよい。しかしながら、固定枠が可動枠によって覆い隠された状態では、固定枠を押し込むために可動枠を一度開く必要があり、開いた可動枠を組み付け終了後に閉じなければならず、組み付けに手間がかかるという問題点がある。
【０００７】
本発明は、上記事情を考慮してなされたもので、可動枠が固定枠を取り囲む構成であっても、可動枠を押し込むことで簡単に組み付けができるレンズ付きフイルムユニット用光学アダプタを提供することを目的とする。
【０００８】
【課題を解決するための手段】
上記目的を達成するために、本発明は、撮影レンズが露呈されたレンズ付きフイルムユニット前面のアダプタ取付け位置に押し込まれる係合部が設けられた固定枠と、撮影画像に特殊効果を与える光学部品を保持して前記固定枠に軸着されるとともに、前記光学部品と前記撮影レンズとが対面する位置で前記固定枠に係止され、前記固定枠に係止された状態で前記固定枠を覆い隠す形状を有する可動枠とから構成されている。前記固定枠の前面又は可動枠の内面には、係止された状態の可動枠が固定枠に向かって押圧されたときに、この押圧力で固定枠背面をレンズ付きフイルムユニット前面に押し付けて、前記係合部をアダプタ取付け位置に押し込む突出部を設け、可動枠を押し込む力を固定枠に伝えるようにしている。
【０００９】
【発明の実施の形態】
図１において、レンズ付きフイルムユニット１は、その前面に撮影レンズ２が露呈されており、ファインダ３、ストロボ発光部４、スライドつまみ５が設けられている。上面にはシャッタボタン６、カウンタ表示窓７、充電完了表示部８が設けられ、背面には巻き上げノブ９が設けられている。また、レンズ付きフイルムユニット１の前面には、光学アダプタ１０が装着されている。
【００１０】
光学アダプタ１０は、固定枠１１と可動枠１２とから構成されている。固定枠１１はレンズ付きフイルムユニット１の前面に固定され、可動枠１２は固定枠１１に軸着されている。可動枠１２には、シリンドリカルレンズ１３が取り付けられている。図２にも示すように、可動枠１２は、撮影レンズ２を露呈させる開放位置と、シリンドリカルレンズ１３を撮影レンズ２と対面させる閉じ位置との間で回動する。可動枠１２の開放時には撮影レンズ２による通常の撮影を行うことができ、可動枠１２が閉じられているときは、シリンドリカルレンズ１３による特殊効果撮影を行うことができる。
【００１１】
図２において、可動枠１２には弾性片１４が設けられている。弾性片１４は、その先端に爪部を有し、固定枠１１の周縁上に形成された爪止め部１５で係止される。可動枠１２は、閉じられる過程で固定枠１１の角に引っ掛けられる。可動枠１２が固定枠１１に係止されると、固定枠１１は可動枠１２によって覆い隠される。弾性片１４上には開放ツマミ１６が設けられている。開放ツマミ１６を手前に引くと弾性片１４が起き上がり、固定枠１１に係止された可動枠１２を開放することができる。
【００１２】
図３において、可動枠１２は、前後に湾曲した曲面形状を有する正面壁１９と、側壁２０とからなる。正面壁１９には、上述した弾性片１４とアダプタ窓２１が設けられている。シリンドリカルレンズ１３は、アダプタ窓２１を通して可動枠１２の前面に露呈され、可動枠１２が閉じられている時には、撮影画面の縦もしくは横方向に圧縮効果をもたせた撮影を行うことができる。
【００１３】
固定枠１１は、撮影レンズ２の周辺形状に合わせて形成された中央開口２２によって、レンズ付きフイルムユニット１の前面に隙間なく装着される。中央開口２２の下には軸受け部２３が設けられている。固定枠１１の背面には、取付け爪２４が左右に１つずつ設けられている。取付け爪２４は、レンズ付きフイルムユニット１の前面に形成された取付け穴２５に差し込まれる。
【００１４】
図４において、可動枠１２の内面には、押圧リブ２６、軸受け部２３に嵌め込まれるヒンジ軸２７、シリンドリカルレンズ１３を保持する保持爪２８とが設けられている。押圧リブ２６は正面壁１９の内面及び側壁２０の内面上に一体形成されている。押圧リブ２６は、可動枠１２が閉じた状態で、固定枠１１に向かってさらに押し込まれたときに固定枠１１の前面に当接する高さを有し、取付け爪２４の裏側から固定枠１１の前面を押圧する位置にそれぞれ設けられている。
【００１５】
次に図５を用いて本発明の作用について説明する。レンズ付きフイルムユニット１に光学アダプタ１０を組み付ける際、光学アダプタ１０は可動枠１２が閉じられた状態で搬送されてくる。光学アダプタ１０を組み付けるには、可動枠１２を保持して固定枠１１の背面をレンズ付きフイルムユニット１の前面に宛がい、取付け爪２４を取付け穴２５の位置に合わせる。図５（ａ）に示すように、取付け爪２４を取付け穴２５に差し込むと同時に取付け爪２４が変形し、取付け爪２４による反力が固定枠１１を可動枠１２に向かって押し戻す。
【００１６】
固定枠１１は可動枠１２に向かって押し戻されるが、その直後に押圧リブ２６が固定枠１１の前面に当接する。可動枠１２を押し込む力は、押圧リブ２６を通じて固定枠１１の前面に伝えられ、取付け爪２４が変形しながら取付け穴２５に差し込まれていく。
【００１７】
図５（ｂ）に示すように、取付け爪２４が取付け穴２５に完全に差し込まれると、固定枠２４は取付け爪２４によって抜け止めされ、固定枠１１の背面がレンズ付きフイルムユニット１の前面に押し付けられる。このようにして固定枠１１がレンズ付きフイルムユニット１に装着されたとき、可動枠１２は閉じられた状態のままであるから、光学アダプタ１０の組み付けは完了となる。
【００１８】
なお、上記実施形態では可動枠にシリンドリカルレンズを取り付けているが、望遠レンズや接写レンズ、ソフトフォーカスレンズなど他の用途のレンズやフィルタ類を取り付けてもよく、本発明は可動枠に取り付けられる光学部品の種類に限定されることはない。
【００１９】
また、上記実施形態では、曲面状に形成されて厚みをもった可動枠側に突出部を設けているが、可動枠の厚みが小さければ固定枠側に突出部を設けてもよく、可動枠からの力を固定枠に伝えることができればよい。固定枠側に設けられる突出部は、可動枠開放時の見栄えを考慮して局所的に突出させるのではなく、固定枠前面上に緩やかに高低差をつけた突出部によって可動枠の押し込み力を伝えるようにするとよい。この突出部は、係止位置にある可動枠の縁からレンズ付きフイルムユニット前面までの間隔に応じ、固定枠との間に隙間をつくる高さに形成してもよい。
【００２０】
また、固定枠をレンズ付きフイルムユニット前面に取り付ける手段としては、弾性爪の他に圧入等を用いてもよい。また、固定枠と可動枠は、ポリプロピレン樹脂等の柔軟性を有する素材で構成し、薄肉ヒンジによって一体に形成されていてもよい。
【００２１】
【発明の効果】
以上のように、本発明のレンズ付きフイルム用光学アダプタは、レンズ付きフイルムユニットに押し込まれる固定枠と、光学部品を保持して固定枠を覆い隠す形状をした可動枠とから構成されるとともに、可動枠を押し込む力を固定枠に伝える突出部を設けているから、可動枠を開放して固定枠を直接押し込む必要がなく、可動枠を閉じたままアダプタの組み付けが簡単に行える。
【図面の簡単な説明】
【図１】可動枠を開いた状態のレンズ付きフイルムユニットの斜視図である。
【図２】可動枠を閉じた状態のレンズ付きフイルムユニットの斜視図である。
【図３】光学アダプタの分解斜視図である。
【図４】光学アダプタの背面斜視図である。
【図５】アダプタ取付け時の様子を示す説明図である。
【符号の説明】
１　レンズ付きフイルムユニット
２　撮影レンズ
１０　光学アダプタ
１１　固定枠
１２　可動枠
１３　シリンドリカルレンズ
２６　押圧リブ
【図１】
2004093882.tif 000003
【図２】
2004093882.tif 000004
【図３】
2004093882.tif 000005
【図４】
2004093882.tif 000006
【図５】
2004093882.tif 000007